(57)【特許請求の範囲】
【請求項１】
移動通信端末から送信される移動通信端末および終端端末の端末情報を用いて当該端末に対する認証手順を行った後、コンテンツ提供サーバーにコンテンツを要請してＣＰＮＳサービスを実行するＣＰＮＳサーバーと、
終端端末によってＣＰＮＳサービス予約が設定された後、設定された予約時間が到来すれば、終端端末を検索し、終端端末から送信される端末情報および自分の端末情報を前記ＣＰＮＳサーバーに転送してサービスを要請し、この後、ＣＰＮＳサーバーからＣＰＮＳサービスが提供されれば、終端端末とＣＰＮＳセッションを開設した後に予約済みのサービスを提供する移動通信端末と、
前記移動通信端末またはＣＰＮＳサーバーにＣＰＮＳサービス予約を要請した後、設定された予約時間が到来すれば、前記移動通信端末から送られてくる指令に応じてアプリケーションを起動し、移動通信端末を介して前記ＣＰＮＳサーバーから送信されるＣＰＮＳサービスを実行する終端端末と、
を備える、ＣＰＮＳ環境における終端端末へのサービス提供システム。
【請求項２】
前記ＣＰＮＳサーバーが、移動通信端末を介して終端端末から送られてくるＣＰＮＳサービスの予約要請を受けて設定した場合に、設定された予約時間が到来すれば、移動通信端末に終端端末の検索および認証情報を要請することを特徴とする請求項１に記載のＣＰＮＳ環境における終端端末へのサービス提供システム。
【請求項３】
移動通信網を介して通信を行うための通信インタフェース部と、
移動通信端末から送信される移動通信端末および終端端末の端末情報を基に認証手順を行う認証処理部と、
予約済みのコンテンツをコンテンツ提供サーバーに要請して受信するコンテンツ要請受信部と、
移動通信端末を介して終端端末にコンテンツをはじめとするＣＰＮＳサービスを提供するサービス提供部と、
ＣＰＮＳサーバーに関連する情報を記憶するデータベースと、
を備える、ＣＰＮＳサーバー。
【請求項４】
前記ＣＰＮＳサーバーにＣＰＮＳサービス予約を設定する場合に、
前記ＣＰＮＳサーバーは、
移動通信端末を介して終端端末から送られてくるＣＰＮＳサービスの予約要請を受けて設定する予約情報登録部を
さらに備え、
前記認証処理部は、
設定された予約時間が到来すれば、移動通信端末に終端端末の検索および認証情報を要請することを特徴とする請求項３に記載のＣＰＮＳサーバー。
【請求項５】
近距離無線通信網を介して終端端末と通信を行う移動通信端末の情報をデータベースに登録して管理する移動通信端末情報管理部
をさらに備えることを特徴とする請求項３に記載のＣＰＮＳサーバー。
【請求項６】
近距離無線通信網を介して移動通信端末と情報を送受信する終端端末の情報をデータベースに登録して管理する終端端末情報管理部
をさらに備えることを特徴とする請求項３に記載のＣＰＮＳサーバー。
【請求項７】
移動通信網または近距離無線通信網を介して通信を行うための無線通信部と、
終端端末から送られてくるＣＰＮＳサービスの予約要請を受けると、これを基に予約情報を登録する予約情報登録部と、
設定された予約時間が到来すれば、ＣＰＮＳサービス予約を要請した終端端末を検索する終端端末検索部と、
終端端末検索部によって検索された終端端末から送信される端末情報および自分の端末情報を前記ＣＰＮＳサーバーに転送して認証およびサービスを要請する認証情報処理部と、
ＣＰＮＳサーバーからサービスが提供されれば、終端端末に予約済みのサービスを提供するための終端端末とＣＰＮＳセッションを開設するセッション処理部と、
ＣＰＮＳサーバーから送信される予約済みのサービスを終端端末に提供するサービス提供部と、
を備える、移動通信端末。
【請求項８】
前記ＣＰＮＳサーバーにＣＰＮＳサービス予約を設定する場合に、
前記終端端末検索部は、
前記ＣＰＮＳサーバーから終端端末の検索および認証情報の要請を受けると、当該終端端末を検索することを特徴とする請求項７に記載の移動通信端末。
【請求項９】
移動通信端末と近距離無線通信を行い、移動通信端末を介してＣＰＮＳサーバーからＣＰＮＳサービスを提供される終端端末であって、
近距離無線通信網を介して通信を行うための通信インタフェース部と、
ユーザーによって設定された時間に特定のＣＰＮＳサービスが提供されるようにＣＰＮＳサービス予約を移動通信端末またはＣＰＮＳサーバーに設定する予約要請部と、
移動通信端末から送られてくる指令に応じて、ＣＰＮＳサービスの提供のために当該アプリケーションを起動するアプリケーション起動部と、
移動通信端末と近距離無線通信を行い、ユーザーによって入力されるコンテンツを要請するコンテンツ要請受信部と、
を備える、終端端末。
【請求項１０】
ＣＰＮＳサーバー、移動通信端末および終端端末を備えるシステムにおいて終端端末にＣＰＮＳサービスを提供するための方法であって、
ａ）移動通信端末が、終端端末から送られてくるＣＰＮＳサービスの予約要請を受けて設定するステップと、
ｂ）設定された予約時間が到来すれば、移動通信端末がＣＰＮＳサービス予約を要請した終端端末を検索するステップと、
ｃ）検索された終端端末から端末情報が送信されれば、移動通信端末が終端端末の端末情報および自分の端末情報をＣＰＮＳサーバーに転送して認証およびサービスを要請するステップと、
ｄ）ＣＰＮＳサーバーが、移動通信端末から送信される情報を基に認証手順を行った後、コンテンツ提供サーバーに予約済みのコンテンツを要請して受信し、これを移動通信端末に送信するステップと、
ｅ）ＣＰＮＳサーバーからサービスが提供されれば、移動通信端末が終端端末に予約済みのサービスを提供するために終端端末とＣＰＮＳセッションを開設するステップと、
ｆ）終端端末が、移動通信端末から送られてくる指令に応じてアプリケーションを起動し、移動通信端末から送信されるＣＰＮＳサービス情報を実行するステップと、
を含む、ＣＰＮＳ環境における終端端末へのサービス提供方法。
【請求項１１】
ＣＰＮＳサーバー、移動通信端末および終端端末を備えるシステムにおいて終端端末にＣＰＮＳサービスを提供するための方法であって、
ａ）ＣＰＮＳサーバーが、移動通信端末を介して終端端末から送られてくるＣＰＮＳサービスの予約要請を受けて設定するステップと、
ｂ）設定された予約時間が到来すれば、ＣＰＮＳサーバーが、移動通信端末に、ＣＰＮＳサービス予約を要請した終端端末の検索および認証情報を要請するステップと、
ｃ）検索された終端端末から端末情報が送信されれば、移動通信端末が終端端末の端末情報および自分の端末情報をＣＰＮＳサーバーに転送して認証およびサービスを要請するステップと、
ｄ）ＣＰＮＳサーバーが移動通信端末から送信される情報を基に認証手順を行った後、コンテンツ提供サーバーに予約済みのコンテンツを要請して受信し、これを移動通信端末に送信するステップと、
ｅ）ＣＰＮＳサーバーからサービスが提供されれば、移動通信端末が終端端末に予約済みのサービスを提供するために終端端末とＣＰＮＳセッションを開設するステップと、
ｆ）終端端末が、移動通信端末から送られてくる指令に応じてアプリケーションを起動し、移動通信端末から送信されるＣＰＮＳサービス情報を実行するステップと、を含む、  ＣＰＮＳ環境における終端端末へのサービス提供方法。
【請求項１２】
前記ステップａ）は、移動通信端末が終端端末から送られてくるＣＰＮＳサービスの予約要請を受けて設定するステップ
をさらに含むことを特徴とする請求項１１に記載のＣＰＮＳ環境における終端端末へのサービス提供方法。
【発明の詳細な説明】
【技術分野】
【０００１】
本発明は、ＣＰＮＳ環境における終端端末へのサービス提供システムおよび方法と、このためのＣＰＮＳサーバー、移動通信端末および終端端末に係り、さらに詳しくは、ＣＰＮＳサービスを提供するサーバーまたは移動通信端末が初期化を行うことで終端端末にサービスを提供するためのＣＰＮＳ環境における終端端末へのサービス提供システムおよび方法に関する。
【背景技術】
【０００２】
最近の情報通信技術の発展には目を見張るものがあり、これに伴い、文書、イメージおよび動画などを再生可能なＭＰ３（ＭＰＥＧオーディオレイヤー）プレーヤー、パーソナルマルチメディアプレーヤー（ＰＭＰ：Ｐｅｒｓｏｎａｌ  Ｍｕｌｔｉｍｅｄｉａ  Ｐｌａｙｅｒ）、ウルトラモバイルパソコン（ＵＭＰＣ：Ｕｌｔｒａ  Ｍｏｂｉｌｅ  Ｐｅｒｓｏｎａｌ  Ｃｏｍｐｕｔｅｒ）などの様々な終端端末が用いられている。
【０００３】
この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００４】
上述した不都合を解消するために、終端端末にブルーテゥース、ウルトラワイドバンド（ＵＷＢ：Ｕｌｔｒａ  Ｗｉｄｅ  Ｂａｎｄ）などの近距離無線通信網に接続可能な通信手段を付加する技術が提案されている。
【０００５】
同技術によれば、近距離通信網を介して外部装置からコンテンツをダウンロードすることができる。しかしながら、この方法は、外部装置に記憶されたコンテンツのダウンロードは可能であるとはいえ、ユーザーが所望するものの、外部装置に記憶されてはいないコンテンツのダウンロードは行えないという不都合が存在する。
【０００６】
また、たとえ近距離無線通信を利用しても、既存の移動通信を用いて移動通信端末がサービスプロバイダーや移動通信社から提供されていたコンテンツまたはサービスを直接的に提供されることはできない。
【発明の概要】
【発明が解決しようとする課題】
【０００７】
上述した不都合を解消するために、本発明は、近距離無線通信を用いてＰＭＰなどの終端端末を移動通信端末に接続し、移動通信端末の移動通信機能を用いて既存のコンテンツサービスプロバイダーに接近する形で所望のサービスを提供されるためのＣＰＮＳ技術を提案する。
【０００８】
一方、ＣＰＮＳ環境において終端端末が移動通信端末を介してＣＰＮＳサービスを提供されるためには、当該時点で移動通信端末との接続を試みた後、提供されたいサービスを要請することを余儀なくされるという不都合がある。
【０００９】
本発明は上述した不都合を解消するためになされたものであり、その目的は、ＣＰＮＳ環境において終端端末が移動通信端末に対してＣＰＮＳサービスを要請しなくても、予め設定された時間が到来すれば、サーバーまたは移動通信端末まかせで先にＣＰＮＳサービスのため終端端末を検索し、認証する手順が行われるＣＰＮＳ環境における終端端末へのサービス提供システムおよび方法と、このためのＣＰＮＳサーバー、移動通信端末および終端端末を提供するところにある。
【００１０】
また、本発明の他の目的は、オペレーターの必要に応じて、コンテンツプロバイダーまたはＣＰＮＳサーバー側において初期化を行うことで、終端端末のアプリケーションを起動した後にサービスを提供することのできるＣＰＮＳ環境における終端端末へのサービス提供システムおよび方法と、このためのＣＰＮＳサーバー、移動通信端末および終端端末を提供するところにある。
【課題を解決するための手段】
【００１１】
上述した目的を達成するために、本発明に係るＣＰＮＳ環境における終端端末へのサービス提供システムは、移動通信端末から送信される移動通信端末および終端端末の端末情報を用いて当該端末に対する認証手順を行った後、コンテンツ提供サーバーにコンテンツを要請してＣＰＮＳサービスを実行するＣＰＮＳサーバーと、終端端末によってＣＰＮＳサービス予約が設定された後、設定された予約時間が到来すれば、終端端末を検索し、終端端末から送信される端末情報および自分の端末情報を前記ＣＰＮＳサーバーに転送してサービスを要請し、この後、ＣＰＮＳサーバーからＣＰＮＳサービスが提供されれば、終端端末とＣＰＮＳセッションを開設した後に予約済みのサービスを提供する移動通信端末と、前記移動通信端末またはＣＰＮＳサーバーにＣＰＮＳサービス予約を要請した後、設定された予約時間が到来すれば、前記移動通信端末から送られてくる指令に応じてアプリケーションを起動し、移動通信端末を介して前記ＣＰＮＳサーバーから送信されるＣＰＮＳサービスを実行する終端端末と、を備える。
【００１２】
前記ＣＰＮＳ環境における終端端末へのサービス提供システムにおいて、前記ＣＰＮＳサーバーが、移動通信端末を介して終端端末から送られてくるＣＰＮＳサービスの予約要請を受けて設定した場合に、設定された予約時間が到来すれば、移動通信端末に終端端末の検索および認証情報を要請する。
【００１３】
上述した目的を達成するために、本発明に係るＣＰＮＳサーバーは、移動通信網を介して通信を行うための通信インタフェース部と、移動通信端末から送信される移動通信端末および終端端末の端末情報を基に認証手順を行う認証処理部と、予約済みのコンテンツをコンテンツ提供サーバーに要請して受信するコンテンツ要請受信部と、移動通信端末を介して終端端末にコンテンツをはじめとするＣＰＮＳサービスを提供するサービス提供部と、ＣＰＮＳサーバーに関連する情報を記憶するデータベースと、を備える。
【００１４】
前記ＣＰＮＳサーバーにおいて、前記ＣＰＮＳサーバーにＣＰＮＳサービス予約を設定する場合に、前記ＣＰＮＳサーバーは、移動通信端末を介して終端端末から送られてくるＣＰＮＳサービスの予約要請を受けて設定する予約情報登録部をさらに備え、前記認証処理部は、設定された予約時間が到来すれば、移動通信端末に終端端末の検索および認証情報を要請する。
【００１５】
前記ＣＰＮＳサーバーは、近距離無線通信網を介して終端端末と通信を行う移動通信端末の情報をデータベースに登録して管理する移動通信端末情報管理部をさらに備える。
【００１６】
前記ＣＰＮＳサーバーは、近距離無線通信網を介して移動通信端末と情報を送受信する終端端末の情報をデータベースに登録して管理する終端端末情報管理部をさらに備える。
【００１７】
上述した目的を達成するために、本発明に係る移動通信端末は、移動通信網または近距離無線通信網を介して通信を行うための無線通信部と、終端端末から送られてくるＣＰＮＳサービスの予約要請を受けると、これを基に予約情報を登録する予約情報登録部と、設定された予約時間が到来すれば、ＣＰＮＳサービス予約を要請した終端端末を検索する終端端末検索部と、終端端末検索部によって検索された終端端末から送信される端末情報および自分の端末情報を前記ＣＰＮＳサーバーに転送して認証およびサービスを要請する認証情報処理部と、ＣＰＮＳサーバーからサービスが提供されれば、終端端末に予約済みのサービスを提供するための終端端末とＣＰＮＳセッションを開設するセッション処理部と、ＣＰＮＳサーバーから送信される予約済みのサービスを終端端末に提供するサービス提供部と、を備える。
【００１８】
前記移動通信端末において、前記ＣＰＮＳサーバーにＣＰＮＳサービス予約を設定する場合に、前記終端端末検索部は、前記ＣＰＮＳサーバーから終端端末の検索および認証情報の要請を受けると、当該終端端末を検索する。
【００１９】
上述した目的を達成するために、本発明に係る終端端末は、移動通信端末と近距離無線通信を行い、移動通信端末を介してＣＰＮＳサーバーからＣＰＮＳサービスを提供される終端端末であって、近距離無線通信網を介して通信を行うための通信インタフェース部と、ユーザーによって設定された時間に特定のＣＰＮＳサービスが提供されるようにＣＰＮＳサービス予約を移動通信端末またはＣＰＮＳサーバーに設定する予約要請部と、移動通信端末から送られてくる指令に応じて、ＣＰＮＳサービスの提供のために当該アプリケーションを起動するアプリケーション起動部と、移動通信端末と近距離無線通信を行い、ユーザーによって入力されるコンテンツを要請するコンテンツ要請受信部と、を備える。
【００２０】
上述した目的を達成するために、本発明に係るＣＰＮＳ環境における終端端末へのサービス提供方法は、ＣＰＮＳサーバー、移動通信端末および終端端末を備えるシステムにおいて終端端末にＣＰＮＳサービスを提供するための方法であって、ａ）移動通信端末が、終端端末から送られてくるＣＰＮＳサービスの予約要請を受けて設定するステップと、ｂ）設定された予約時間が到来すれば、移動通信端末がＣＰＮＳサービス予約を要請した終端端末を検索するステップと、ｃ）検索された終端端末から端末情報が送信されれば、移動通信端末が終端端末の端末情報および自分の端末情報をＣＰＮＳサーバーに転送して認証およびサービスを要請するステップと、ｄ）ＣＰＮＳサーバーが、移動通信端末から送信される情報を基に認証手順を行った後、コンテンツ提供サーバーに予約済みのコンテンツを要請して受信し、これを移動通信端末に送信するステップと、ｅ）ＣＰＮＳサーバーからサービスが提供されれば、移動通信端末が終端端末に予約済みのサービスを提供するために終端端末とＣＰＮＳセッションを開設するステップと、ｆ）終端端末が、移動通信端末から送られてくる指令に応じてアプリケーションを起動し、移動通信端末から送信されるＣＰＮＳサービス情報を実行するステップと、を含む。
【００２１】
上述した目的を達成するために、本発明の他のＣＰＮＳ環境における終端端末へのサービス提供方法は、ＣＰＮＳサーバー、移動通信端末および終端端末を備えるシステムにおいて終端端末にＣＰＮＳサービスを提供するための方法であって、ａ）ＣＰＮＳサーバーが、移動通信端末を介して終端端末から送られてくるＣＰＮＳサービスの予約要請を受けて設定するステップと、ｂ）設定された予約時間が到来すれば、ＣＰＮＳサーバーが、移動通信端末に、ＣＰＮＳサービス予約を要請した終端端末の検索および認証情報を要請するステップと、ｃ）検索された終端端末から端末情報が送信されれば、移動通信端末が終端端末の端末情報および自分の端末情報をＣＰＮＳサーバーに転送して認証およびサービスを要請するステップと、ｄ）ＣＰＮＳサーバーが移動通信端末から送信される情報を基に認証手順を行った後、コンテンツ提供サーバーに予約済みのコンテンツを要請して受信し、これを移動通信端末に送信するステップと、ｅ）ＣＰＮＳサーバーからサービスが提供されれば、移動通信端末が終端端末に予約済みのサービスを提供するために終端端末とＣＰＮＳセッションを開設するステップと、ｆ）終端端末が、移動通信端末から送られてくる指令に応じてアプリケーションを起動し、移動通信端末から送信されるＣＰＮＳサービス情報を実行するステップと、を含む。
【００２２】
前記ＣＰＮＳ環境における終端端末へのサービス提供方法において、前記ステップａ）は、移動通信端末が終端端末から送られてくるＣＰＮＳサービスの予約要請を受けて設定するステップをさらに含む。
【発明の効果】
【００２３】
本発明に係るＣＰＮＳ環境における終端端末へのサービス提供システムおよび方法と、このためのＣＰＮＳサーバー、移動通信端末および終端端末は、ＣＰＮＳ環境において終端端末が移動通信端末に対してＣＰＮＳサービスを要請しなくても、予め設定された時間が到来すれば、サーバーまたは移動通信端末まかせで先にＣＰＮＳサービスのため終端端末を検索し、認証する手順が行われるという効果がある。
【００２４】
また、本発明は、オペレーターの必要に応じて、コンテンツプロバイダーまたはＣＰＮＳサーバー側において初期化を行うことで、終端端末のアプリケーションを起動した後にサービスを提供することができる。
【図面の簡単な説明】
【００２５】
【図１】本発明に係るＣＰＮＳ環境における遠距離終端端末の制御システムと通信網との接続関係を示す図であり、
【図２】本発明に係るＣＰＮＳサービスのための初期設定方法を説明するためのフローチャートであり、
【図３】本発明に係るＣＰＮＳサーバーの構成を示す図であり、
【図４】本発明に係る移動通信端末の構成を示す図であり、
【図５】本発明に係る終端端末の構成を示す図であり、
【図６】本発明に係るＣＰＮＳ環境における終端端末へのサービス提供方法の一例を説明するためのフローチャートであり、
【図７】本発明に係るＣＰＮＳ環境における終端端末へのサービス提供方法の他の例を説明するためのフローチャートである。
【００２６】
＜符号の説明＞
１００  ＣＰＮＳサーバー
１１０、３１０  通信インタフェース部
１２０  移動通信端末情報管理部
１３０  終端端末情報管理部
１４０  予約情報登録部
１５０  認証処理部
１６０  コンテンツ要請受信部
１７０  サービス提供部
１８０  データベース
２００  移動通信端末
２１０  無線通信部
２２０、３２０  入力部
２３０  出力部
２４０、３４０  記憶部
２５０  予約情報登録部
２６０  終端端末検索部
２７０  認証情報処理部
２８０  セッション処理部
２９０  サービス提供部
３００  終端端末
３３０  再生部
３５０  予約要請部
３６０  アプリケーション起動部
３７０  コンテンツ要請受信部
４００  コンテンツ提供サーバー
【発明を実施するための形態】
【００２７】
本発明におけるコンバージェンスパーソナルネットワークサービス（ＣＰＮＳ：Ｃｏｎｖｅｒｇｅｄ  Ｐｅｒｓｏｎａｌ  Ｎｅｔｗｏｒｋ  Ｓｅｒｖｉｃｅ）環境とは、近距離無線通信は行えるものの、移動通信網とのセルラー通信は行えない携帯用端末がパーソナルネットワーク（ＰＮ：Ｐｅｒｓｏｎａｌ  Ｎｅｔｗｏｒｋ）ゲートウェイの役割を果たす移動通信端末と近距離無線通信を行うことで、セルラー通信を通して提供可能なデータサービスを利用できるようにするものである。
【００２８】
以下、添付図面に基づき、本発明の好適な実施形態を詳述する。
【００２９】
まず、図１は、本発明に係るＣＰＮＳ環境における遠距離終端端末の制御システムと通信網との接続関係を示す図である。
【００３０】
ＣＰＮＳ環境においてサーバーまたは移動通信端末において初期化を行った後に終端端末にサービスを提供するためのシステムは、ＣＰＮＳサーバー１００と、移動通信端末２００および終端端末３００を備え、ＣＰＮＳサービス予約を移動通信端末２００にのみ設定する第一の場合と、移動通信端末２００およびＣＰＮＳサーバー１００の両方ともに設定する第二の場合と、に大別できる。
【００３１】
第二の場合は、ＣＰＮＳサーバー１００にＣＰＮＳサービス予約が設定された場合であるが、このときには、設定された予約時間が到来すれば、ＣＰＮＳサーバー１００側から移動通信端末２００に終端端末の検索および認証情報を要請するという点で、第一の場合とは相違点がある。
【００３２】
より具体的に、ＣＰＮＳサーバー１００は、移動通信端末２００から送信される移動通信端末２００および終端端末３００の端末情報を用いて当該端末に対する認証手順を行った後、コンテンツ提供サーバー４００にコンテンツを要請してＣＰＮＳサービスを実行する。
【００３３】
もし、ＣＰＮＳサーバー１００が移動通信端末２００を介して終端端末３００から送られてくるＣＰＮＳサービスの予約要請を受けて設定した場合に、設定された予約時間が到来すれば、移動通信端末２００に終端端末の検索および認証情報を要請する。
【００３４】
移動通信端末２００は、終端端末３００によってＣＰＮＳサービス予約が設定された後、設定された予約時間が到来すれば、終端端末３００を検索し、終端端末３００から送信される端末情報および自分の端末情報をＣＰＮＳサーバー１００に転送してサービスを要請し、この後、ＣＰＮＳサーバー１００からＣＰＮＳサービスが提供されれば、終端端末１００とＣＰＮＳセッションを開設した後に予約済みのサービスを提供する。
【００３５】
終端端末３００は、移動通信端末２００またはＣＰＮＳサーバー１００にＣＰＮＳサービス予約を要請した後、設定された予約時間が到来すれば、移動通信端末２００から送られてくる指令に応じて、アプリケーションを起動し、移動通信端末２００を介してＣＰＮＳサーバー１００から送信されるＣＰＮＳサービスを実行する。
【００３６】
図１に示すＣＰＮＳサーバー１００は、移動通信端末２００および終端端末３００と接続されている構造であり、終端端末３００の端末情報（例えば、ＬＣＤサイズ、コーデック、．．．）を予め記憶していることを想定している。
【００３７】
また、図１に示す終端端末３００とは、パーソナルマルチメディアプレーヤー（ＰＭＰ）、ＭＰ３プレーヤー、カーナビゲーション端末、携帯電話、ゲーム機など、近距離無線通信機能付き携帯用端末のことをいう。
【００３８】
一方、近距離無線通信網は、無線ＬＡＮ、ブルーテゥース、ＵＷＢなどをはじめとして、近距離無線通信が行える通信網を網羅する。
【００３９】
図２は、本発明に係るＣＰＮＳサービスのための初期設定方法を説明するためのフローチャートである。
【００４０】
まず、終端端末３００は、ＣＰＮＳサービスを利用するために、パーソナルネットワーク（ＰＮ：Ｐｅｒｓｏｎａｌ  Ｎｅｔｗｏｒｋ）ゲートウェイデバイスの役割を果たす移動通信端末を検索する（Ｓ１０）。
【００４１】
次いで、終端端末３００は、ステップＳ１０において検索された移動通信端末２００にサービスを要請する。ここで、終端端末は、ＣＰＮＳ利用可能情報も一緒に送信する（Ｓ２０）。
【００４２】
この後、移動通信端末２００は、終端端末に送信されるサービス要請を受けると、終端端末のＣＰＮＳサービス利用可否をチェックする（Ｓ３０）。
【００４３】
ステップＳ３０におけるチェックの結果、終端端末がＣＰＮＳサービスを利用できると判断された場合に、移動通信端末２００は終端端末３００にＣＰＮＳサービスが利用可能である旨の認証メッセージを送信する（Ｓ４０）。
【００４４】
終端端末３００は、移動通信端末からＣＰＮＳサービスが利用可能である旨の認証メッセージを受信すれば、自分のＩＤを送信する（Ｓ５０）。
【００４５】
移動通信端末２００は、終端端末３００から送信されるＩＤのフォーマットがＣＰＮＳから発給したＩＤフォーマットと一致するか否かをチェックして、終端端末３００から送信されるＩＤのフォーマットがＣＰＮＳから発給したＩＤフォーマットと一致する場合に、終端端末３００にサービスが利用可能である旨の認証メッセージを送信する（Ｓ６０、Ｓ７０）。
【００４６】
この後、移動通信端末２００は、ＣＰＮＳサーバー１００に、自分および終端端末３００の認証情報およびＩＤを送信する（Ｓ８０）。
【００４７】
ＣＰＮＳサーバー１００は、移動通信端末から送信される認証情報およびＩＤをチェックして、ＣＰＮＳサービスの利用可否を判断する（Ｓ９０）。
【００４８】
もし、ステップ９０における判断の結果、移動通信端末および終端端末が両方ともサービス利用可能であると判断された場合に、ＣＰＮＳサーバー１００はこれを終端端末に報知し、今後コンテンツ要請をはじめとするＣＰＮＳサービスを利用するようにする（Ｓ１００）。
【００４９】
もし、ステップ９０における判断の結果、移動通信端末および終端端末のどちらか一方でもサービスが利用不可であると判断された場合に、ＣＰＮＳサーバー１００はその旨を終端端末に報知し、ＣＰＮＳサービスのための初期設定過程を終了する。
【００５０】
一方、ステップＳ３０におけるチェックの結果、終端端末のＣＰＮＳサービスが利用不可であると判断された場合に、移動通信端末２００は終端端末３００にサービスが利用不可である旨のメッセージを送信した後、ＣＰＮＳサービスのための初期設定過程を終了する。
【００５１】
他方、ステップＳ６０におけるチェックの結果、終端端末のＩＤフォーマットがＣＰＮＳから発給したＩＤフォーマットと一致しない場合に、移動通信端末２００はサービスが利用不可である旨のメッセージを終端端末に送信した後、ＣＰＮＳサービスのための初期設定過程を終了する。
【００５２】
図３は、本発明に係るＣＰＮＳサーバーの構成を示す図である。
【００５３】
同図に示すように、ＣＰＮＳサーバー１００は、通信インタフェース部１１０と、移動通信端末情報管理部１２０と、終端端末情報管理部１３０と、予約情報登録部１４０と、認証処理部１５０と、コンテンツ要請受信部１６０と、サービス提供部１７０およびデータベース１８０を備える。
【００５４】
より具体的に、通信インタフェース部１１０は、移動通信網を介して通信を行うための構成要素である。
【００５５】
移動通信端末情報管理部１２０は、近距離無線通信網を介して終端端末３００と通信を行う移動通信端末２００の情報をデータベース１８０に登録して管理する。
【００５６】
終端端末情報管理部１３０は、近距離無線通信網を介して移動通信端末２００と情報を送受信する終端端末３００の情報をデータベースに記憶して管理する。
【００５７】
予約情報登録部１４０は、ＣＰＮＳサーバーにＣＰＮＳサービス予約を設定する場合に、移動通信端末２００を介して終端端末３００から送信されるＣＰＮＳサービス予約要請を受信して設定する。
【００５８】
もし、ＣＰＮＳサーバー１００の予約情報登録部１４０ではなく、移動通信端末２００の上にのみＣＰＮＳサービス予約を設定した場合に、ＣＰＮＳサーバー１００における予約情報登録部１４０は設けないことが好ましい。
【００５９】
認証処理部１５０は、移動通信端末２００から送信される移動通信端末および終端端末の情報に基づいて認証手順を行う。
【００６０】
もし、ＣＰＮＳサーバー１００にＣＰＮＳサービス予約を設定した場合に、認証処理部１５０は、設定された予約時間が到来すれば、移動通信端末２００に終端端末３００の検索および認証情報を要請する。
【００６１】
コンテンツ要請受信部１６０は、予約済みのコンテンツをコンテンツ提供サーバーに要請して受信する。
【００６２】
サービス提供部１７０は、移動通信端末２００を介して終端端末３００にコンテンツをはじめとするＣＰＮＳサービスを提供する。
【００６３】
データベース１８０は、ＣＰＮＳサーバーに関連する情報を記憶する。
【００６４】
図４は、本発明に係る移動通信端末の構成を示す図である。
【００６５】
同図に示すように、本発明に係る移動通信端末２００は、無線通信部２１０と、入力部２２０と、出力部２３０と、記憶部２４０と、予約情報登録部２５０と、終端端末検索部２６０と、認証情報処理部２７０と、セッション処理部２８０およびサービス提供部２９０を備える。
【００６６】
より具体的に、無線通信部２１０は、移動通信網または近距離無線通信網を介して通信を行うための構成要素である。
【００６７】
予約情報登録部２５０は、終端端末から送られてくるＣＰＮＳサービスの予約要請を受けると、これを基に予約情報を登録する。
【００６８】
終端端末検索部２６０は、設定された予約時間が到来すれば、ＣＰＮＳサービス予約を要請した終端端末を検索する。
【００６９】
もし、ＣＰＮＳサーバー１００にＣＰＮＳサービス予約を設定する場合に、終端端末検索部２６０は、ＣＰＮＳサーバー１００から終端端末３００の検索および認証情報要請を受けると、当該終端端末を検索する。
【００７０】
認証情報処理部２７０は、終端端末検索部２６０によって検索された終端端末３００から送信される端末情報および自分の端末情報をＣＰＮＳサーバー１００に転送して認証およびサービスを要請する。
【００７１】
セッション処理部２８０は、ＣＰＮＳサーバー１００からサービスが提供されれば、終端端末に予約済みのサービスを提供するための終端端末とＣＰＮＳセッションを開設する。
【００７２】
サービス提供部２９０は、ＣＰＮＳサーバー１００から送信される予約済みのサービスを終端端末３００に提供する。
【００７３】
図５は、本発明に係る終端端末の構成を示す図である。
【００７４】
同図に示すように、終端端末３００は、通信インタフェース部３１０と、入力部３２０と、再生部３３０と、記憶部３４０と、予約要請部３５０と、アプリケーション起動部３６０およびコンテンツ要請受信部３７０を備える。
【００７５】
より具体的に、通信インタフェース部３１０は、近距離無線通信網を介して通信を行うための構成要素である。
【００７６】
入力部３２０には、ユーザーの選択に応じて当該信号が入力される。
【００７７】
再生部３３０は、移動通信端末２００を介してＣＰＮＳサーバー１００から提供されるコンテンツをはじめとするＣＰＮＳサービス関連情報を実行する。前記ＣＰＮＳサービス関連情報は、ＣＰＮＳサーバー１００ではなく、移動通信端末２００に記憶された情報であってもよい。
【００７８】
記憶部３４０は、終端端末３００に関連する情報を記憶する。
【００７９】
予約要請部３５０は、ユーザーによって設定された時間に特定のＣＰＮＳサービスが提供されるようにＣＰＮＳサービス予約を移動通信端末２００またはＣＰＮＳサーバー１００に設定する。
【００８０】
アプリケーション起動部３６０は、移動通信端末２００から送られてくる指令に応じて、ＣＰＮＳサービス提供のために当該アプリケーションを起動する。
【００８１】
コンテンツ要請受信部３７０は、移動通信端末と近距離無線通信を行い、ユーザーによって入力されるコンテンツを要請する。
【００８２】
図６は、本発明に係るＣＰＮＳ環境における終端端末へのサービス提供方法の一例を説明するためのフローチャートであって、移動通信端末上にＣＰＮＳサービス予約を設定した場合を例にとって説明する。
【００８３】
まず、移動通信端末２００は、終端端末３００から送られてくるＣＰＮＳサービスの予約要請を受けて設定する（Ｓ１０１）。
【００８４】
設定された予約時間が到来すれば、移動通信端末２００は、ＣＰＮＳサービス予約を要請した終端端末３００を検索する（Ｓ１０３）。
【００８５】
この後、ステップＳ１０３において検索された終端端末３００から端末情報が送信されれば、移動通信端末２００は、終端端末の端末情報および自分の端末情報をＣＰＮＳサーバー１００に転送して認証およびサービスを要請する（Ｓ１０５、Ｓ１０７）。
【００８６】
ＣＰＮＳサーバー１００は、移動通信端末２００から送信される情報を基に認証手順を行った後、コンテンツ提供サーバー４００に予約済みのコンテンツを要請して受信して、移動通信端末２００に送信する（Ｓ１０９〜Ｓ１１３）。
【００８７】
ＣＰＮＳサーバーからサービスが提供されれば、移動通信端末２００は終端端末３００に予約済みのサービスを提供するために、終端端末とＣＰＮＳセッションを開設する（Ｓ１１５）。
【００８８】
終端端末３００は、移動通信端末から送られてくる指令に応じて、アプリケーションを起動し、移動通信端末から送信されるＣＰＮＳサービス情報を実行する（Ｓ１１７、Ｓ１１９）。
【００８９】
図７は、本発明に係るＣＰＮＳ環境における終端端末へのサービス提供方法の他の例を説明するためのフローチャートであって、移動通信端末およびＣＰＮＳサーバー上にＣＰＮＳサービス予約を設定した場合を例にとって説明する。
【００９０】
まず、ＣＰＮＳサーバー１００は、移動通信端末２００を介して終端端末３００から送られてくるＣＰＮＳサービスの予約要請を受けて設定する（Ｓ２０１）。
【００９１】
このとき、移動通信端末２００も、終端端末３００から送られてくるＣＰＮＳサービスの予約要請を受けて設定する。
【００９２】
設定された予約時間が到来すれば、ＣＰＮＳサーバー１００は移動通信端末２００にＣＰＮＳサービス予約を要請した終端端末３００を検索することと、認証情報を返すことを要請する（Ｓ２０３）。
【００９３】
検索された終端端末から端末情報が送信されれば、移動通信端末２００は、終端端末の端末情報および自分の端末情報をＣＰＮＳサーバー１００に転送して認証およびサービスを要請する（Ｓ２０５〜Ｓ２０７）。
【００９４】
ＣＰＮＳサーバー１００は、移動通信端末２００から送信される情報を基に認証手順を行った後、コンテンツ提供サーバー４００に予約済みのコンテンツを要請して受信し、これを移動通信端末２００に送信する（Ｓ２１１〜Ｓ２１５）。
【００９５】
ＣＰＮＳサーバーからサービスが提供されれば、移動通信端末２００は終端端末３００に予約済みのサービスを提供するために終端端末とＣＰＮＳセッションを開設する（Ｓ２１７）。
【００９６】
終端端末３００は、移動通信端末から送られてくる指令に応じて、アプリケーションを起動し、移動通信端末２００から送信されるＣＰＮＳサービス情報を実行する（Ｓ２１９、Ｓ２２１）。
【００９７】
本発明においては、終端端末側において移動通信端末またはＣＰＮＳサーバーにサービス予約を申請する場合のみを例にとって説明したが、本発明はこれに限定されるものではなく、オペレーターの必要に応じて、コンテンツプロバイダーまたはＣＰＮＳサーバー側において先に初期化を行って終端端末のアプリケーションを起動した後にサービスを提供する技術に適用してもよい。
【００９８】
このように、本発明が属する技術分野における当業者は、本発明がその技術的思想や必須的特徴を変更することなく異なる具体的な形態で実施できるということが理解できるであろう。よって、上述した実施形態はあらゆる面において例示的なものであり、限定的ではないものと理解さるべきである。本発明の範囲は、前記詳細な説明よりは後述する特許請求の範囲によって開示され、特許請求の範囲の意味および範囲、ならびにその等価概念から導き出されるあらゆる変更または変形が本発明の範囲に含まれるものと解釈さるべきである。
【産業上の利用可能性】
【００９９】
以上述べたように、本発明に係るＣＰＮＳ環境における終端端末へのサービス提供システムおよび方法と、このためのＣＰＮＳサーバー、移動通信端末および終端端末は、ＣＰＮＳ環境において終端端末が移動通信端末に対してＣＰＮＳサービスを要請しなくても、予め設定された時間が到来すれば、サーバーまたは移動通信端末まかせで先にＣＰＮＳサービスのための初期化手順が行われる必要があるものに適用して好適である。
【図１】
0005231652.tif 000002
【図２】
0005231652.tif 000003
【図３】
0005231652.tif 000004
【図４】
0005231652.tif 000005
【図５】
0005231652.tif 000006
【図６】
0005231652.tif 000007
【図７】
0005231652.tif 000008